(57)【要約】【課題】携帯に便利なスクロール式タッチキーパッドを提供すること。【解決手段】本発明のスクロール式タッチキーパッドは、捲りアセンブリと、前記捲りアセンブリの外周に係合されるサイドカバーと、一端が前記捲りアセンブリに連接され且つ他端が前記サイドカバーに連接されるキーシートと、を備えてなる。前記キーシートは、前記捲りアセンブリ内に巻き取るように収納され、且つ前記捲りアセンブリから引き出されたり、前記捲りアセンブリ内に自動的に収納したりすることができる。【選択図】図１
2012003754.tif 000002
【特許請求の範囲】
【請求項１】
捲りアセンブリと、前記捲りアセンブリの外周に係合されるサイドカバーと、一端が前記捲りアセンブリに連接され且つ他端が前記サイドカバーに連接されるキーシートと、を備えてなるスクロール式タッチキーパッドにおいて、
前記キーシートは、前記捲りアセンブリ内に巻き取るように収納され、且つ前記捲りアセンブリから引き出されたり、前記捲りアセンブリ内に自動的に収納したりすることができることを特徴とするスクロール式タッチキーパッド。
【請求項２】
前記捲りアセンブリは、第一スリーブと、前記第一スリーブ内に収納される第二スリーブと、前記第二スリーブ内に収納される回動軸と、コイルバネと、回動部品と、位置決め部品と、を備え、
前記サイドカバーが前記第一スリーブの外周に係合され、前記回動部品は前記回動軸の一端を囲むように設けられ、前記コイルバネの一端が前記回動部品の外周に掛止され、前記コイルバネの他端が前記回動軸に係止され、前記位置決め部品は、前記回動部品を介して前記回動軸の一端に固定されることを特徴とする請求項１に記載のスクロール式タッチキーパッド。
【請求項３】
前記サイドカバーを前記第一スリーブから取り外してそれを前記第一スリーブから離れるように引っ張ると、前記キーシートは連動して前記捲りアセンブリから徐々に引き出されると共に、前記第二スリーブ及び前記回動部品が前記キーシートに誘導されて回動し、前記コイルバネが前記回動部品の回動によって捩れて弾性力を蓄積することを特徴とする請求項２に記載のスクロール式タッチキーパッド。
【請求項４】
前記回動部品は、ボールと、円柱状の第一固定部と、前記第一固定部に連結され且つ内径が第一固定部の内径より大きい第二固定部と、を備え、
前記第二固定部の内壁には、互いに連接する第一弧状凹部及び第二弧状凹部によって構成される収容凹所が設けられており、前記第一弧状凹部と前記第二弧状凹部との接続部位には境界線が形成され、前記ボールが前記収容凹所に移動可能に収納されることを特徴とする請求項２又は３に記載のスクロール式タッチキーパッド。
【請求項５】
前記位置決め部品は、第一柱体及び第二柱体を備え、前記第二柱体が前記回動軸の一端に嵌入され、前記第一柱体の周壁には前記回動部品の収容凹所に対応する１つの凹所が設けられ、
前記ボールが前記第二弧状凹部から前記第一弧状凹部と前記凹所とにより構成される収容空間内に入ると、前記回動部品が回動できなくなり、前記キーシートは、展開するように位置決めされることを特徴とする請求項４に記載のスクロール式タッチキーパッド。
【請求項６】
前記第二固定部の周縁には、周方向に沿って４つの突片が間隔を空けて設けられ、各突片の内壁には弧状凹溝が設けられ、
前記位置決め部品の第一柱体の中部にはフランジが設けられ、前記フランジの外面には環状突起が設けられ、前記環状突起が前記弧状凹溝に嵌合されることを特徴とする請求項５に記載のスクロール式タッチキーパッド。
【請求項７】
前記捲りアセンブリは、第一端部キャップ、第二端部キャップ及び固定部品をさらに備え、
前記第一端部キャップは、前記第一スリーブの一端に塞がれ且つ前記位置決め部品の底板と互いに係合し、
前記固定部品は、前記回動軸の前記回動部品から離れている他端を囲むように設けられ、
前記第二端部キャップは、前記第一スリーブの他端に塞がれ且つ前記固定部品の外周に係合されることを特徴とする請求項６に記載のスクロール式タッチキーパッド。
【発明の詳細な説明】
【技術分野】
【０００１】
本発明は、タッチ式キーパッドに関し、特にスクロール式タッチキーパッドに関するものである。
【背景技術】
【０００２】
キーボードは、主な入力デバイスとして、電子装置にとって不可欠な外付け部品である。従来のキーボードは、主にメカニカル式キーボード及びタッチ式キーボードに分かれる。この二種のキーボードは、すべて硬質材料からなり、大きな空間を占め且つ携帯に不便である。さらに、このようなキーボードの外観が単調であり、消費者の個性的なニーズを満たさない。
【発明の概要】
【発明が解決しようとする課題】
【０００３】
本発明は、上記の課題に鑑みてなされたものであり、携帯に便利なスクロール式タッチキーパッドを提供することを目的とする。
【課題を解決するための手段】
【０００４】
上記の目的を達成するために、本発明に係るスクロール式タッチキーパッドは、捲りアセンブリと、前記捲りアセンブリの外周に係合されるサイドカバーと、一端が前記捲りアセンブリに連接され且つ他端が前記サイドカバーに連接されるキーシートと、を備えてなる。前記キーシートは、前記捲りアセンブリ内に巻き取るように収納され、且つ前記捲りアセンブリから引き出されたり、前記捲りアセンブリ内に自動的に収納されたりすることができる。
【発明の効果】
【０００５】
従来の技術に比べて、本発明に係るスクロール式タッチキーパッドにおいて、キーシートは捲りアセンブリによって巻き取られて収納されるので、前記スクロール式タッチキーパッドの体積が小さく、便利に携帯することができる。
【図面の簡単な説明】
【０００６】
【図１】本発明のスクロール式タッチキーパッドの立体図である。
【図２】図１に示したスクロール式タッチキーパッドの捲りアセンブリ及びサイドカバーの分解図である。
【図３】図２に示した捲りアセンブリ及びサイドカバーの別の視点からの分解図である。
【図４】図３に示した回動部品の拡大図である。
【図５】図３に示した位置決め部品の拡大図である。
【図６】図３に示した捲りアセンブリの部分的な組立図である。
【図７】図１に示したスクロール式タッチキーパッドの組立図である。
【図８】図１に示したスクロール式タッチキーパッドのキーシートの断面図である。
【図９】図７に示したスクロール式タッチキーパッドのＩＸ−ＩＸ線に沿う断面図である。
【発明を実施するための形態】
【０００７】
図１に示したように、本発明の実施形態に係るスクロール式タッチキーパッド１００は、捲りアセンブリ１０、キーシート３０及びサイドカバー５０を備える。前記キーシート３０の両端は、それぞれ前記捲りアセンブリ１０及び前記サイドカバー５０に連接して固定される。使用しない場合、前記キーシート３０は、前記捲りアセンブリ１０によって巻き取られて前記捲りアセンブリ１０内に収納される。
【０００８】
図２に示したように、前記捲りアセンブリ１０は、第一スリーブ１１と、第二スリーブ１２と、コイルバネ１３と、固定部品１４と、回動軸１５と、第一端部キャップ１６と、回動部品１７と、第二端部キャップ１８と、位置決め部品１９と、を備える。
【０００９】
前記第一スリーブ１１は、両端が開口した中空の円筒体であり、中心角が約３００度である第一弧状部１１１、矩形の板状体である接続部１１３及び中心角が約６０度である第二弧状部１１５を備える。前記第一弧状部１１１と前記第二弧状部１１５との間には、細長いスリットが形成されており、前記キーシート３０は、前記スリットを通して前記第一スリーブ１１内に巻き取られるか又は前記第一スリーブ１１の内部から引き出される。前記サイドカバー５０は、円弧状を呈し、且つ前記第二弧状部１１５の外周を被覆して前記第一弧状部１１１とともに円筒体を構成する。前記サイドカバー５０の両辺の中部には、それぞれ１つの台形切欠き５１が設けられており、前記台形切欠き５１が存在するため、前記第一スリーブ１１から前記キーシート３０を容易に引き出すことができる。
【００１０】
前記第二スリーブ１２は、両端が開口した中空の円筒体であり、その断面の直径が前記第一スリーブ１１の断面の直径より小さい。前記第二スリーブ１２の周壁には、前記キーシート３０を通すスロット１２１が設けられており、前記第二スリーブ１２の片側の開口端には、ノッチ１２３が設けられる。
【００１１】
前記コイルバネ１３の一端が折り曲げられて、棒状の係止柱１３１が形成される。前記固定部品１４は、外面が階段状を呈する柱状体であり、その軸方向に沿って中空部１４１が設けられ、固定リング１４３により前記固定部品１４の大径部を取り囲む。前記回動軸１５は、両端が開口した円柱体であり、その断面の直径が前記第二スリーブ１２の断面の直径より小さい。前記回動軸１５の周壁の一部には、軸方向に沿って係止用スリット１５１が設けられる。前記係止用スリット１５１の長さは、前記回動軸１５の長さと自然状態の前記コイルバネ１３の長さとの差に等しく、前記係止用スリット１５１の幅は、前記係止柱１３１に一致する。前記回動軸１５の外周を取り囲むように設けられる調節リング１５３は前記係止用スリット１５１と組み合せて、前記係止柱１３１を固定するために用いられる。前記回動軸１５の前記固定部品１４に近い一端の内面には、ねじ山が設けられる。
【００１２】
前記第一端部キャップ１６及び第二端部キャップ１８は、それぞれ１つの弧状壁及び１つの平面側壁を備え、前記弧状壁の角度は、前記第一弧状部１１１の角度と同じである。前記第一端部キャップ１６には、階段状の内面を有する第一空洞部１６１が設けられており、前記第二端部キャップ１８には、階段状の内面を有する第二空洞部１８１が設けられる。
【００１３】
図４に示したように、前記回動部品１７は、ボール１７０と、円柱状の第一固定部１７１と、前記第一固定部１７１の端縁から突出し且つ内径が第一固定部１７１の内径より大きい第二固定部１７３と、を備える。前記第一固定部１７１の内部には、軸方向に沿って収容空洞部１７２が設けられており、前記第一固定部１７１の外面には、前記コイルバネ１３の形状に対応するねじ山凹溝１７４が設けられる。前記第二固定部１７３の中央部には貫通孔１７５が設けられており、前記貫通孔１７５の内壁には、収容凹所１７６が設けられる。前記収容凹所１７６は、互いに連接する第一弧状凹部１７６１及び第二弧状凹部１７６３からなり、前記第一弧状凹部１７６１と前記第二弧状凹部１７６３との接続部位には、境界線１７６５が形成される。前記ボール１７０は、前記収容凹所１７６内に移動可能に収納される。前記第二固定部１７３の周縁には、周方向に沿って４つの突片１７７が互いに離間して設けられており、各突片１７７の内壁には弧状凹溝１７８が設けられる。前記第二固定部１７３の外壁には、前記第二スリーブ１２のノッチ１２３に係合されるブロック１７９が設けられる。
【００１４】
図５に示したように、前記位置決め部品１９は、横断面が八角形を呈する底板１９１、第一柱体１９３及び第二柱体１９５を備える。前記第一柱体１９３の断面の直径が前記回動部品１７の貫通孔１７５の直径に一致し、前記第二柱体１９５の断面の直径が前記回動軸１５の直径より小さい。前記第一柱体１９３の中部には、フランジ１９７が設けられる。前記フランジ１９７の外面には、前記回動部品１７の弧状凹溝１７８内に嵌合される環状突起１９９が設けられる。前記第一柱体１９３の前記貫通孔１７５内に収納される部分の周壁には、前記回動部品１７の収容凹所１７６に対応する凹所１９０が設けられる。前記凹所１９０の一端には、弧状の移行面１９０３が形成される。
【００１５】
以下、図２乃至図６を参照しながら、前記捲りアセンブリ１０の組立ステップについて詳細に説明する。
【００１６】
ステップ１では、前記回転部品１７を収容空洞部１７２により前記回動軸１５の係止用スリット１５１から離れている一端に装着する。次いで、前記回動軸１５の前記係止用スリット１５１が設けられている一端を前記コイルバネ１３に貫通させて、前記コイルバネ１３の係止柱１３１を前記係止用スリット１５１の末端に係止させ、前記コイルバネ１３の前記係止柱１３１から離れている一端を前記回動部品１７の外面のねじ山凹溝１７４に掛止する。続いて、前記回動軸１５の前記係止用スリット１５１が設けられている一端を前記調節リング１５３に貫通させて、前記調節リング１５３を前記コイルバネ１３の係止柱１３１に当止させる（図６を参照）。
【００１７】
ステップ２では、前記係止用スリット１５１の一端から前記回動軸１５を前記第二スリーブ１２に貫通させて、前記回動部品１７のブロック１７９を前記第二スリーブ１２のノッチ１２３に係合させる。次いで、前記固定部品１４を前記回動軸１５の回転部品１７と反対の他端（内面にねじ山が設けられている一端）を取り囲むように設ける。このとき、前記固定部品１４の大径部の外面と前記第二スリーブ１２の外面とは、同一面上に位置する。続いて、前記固定リング１４３を前記固定部品１４の大径部に係合させる。上記一体に組み立てた部品を前記第一スリーブ１１内に収納する。
【００１８】
ステップ３では、前記第一端部キャップ１６を前記第一スリーブ１１の一端に係合させ、前記第二端部キャップ１８を前記第一スリーブ１１の他端に係合させると、前記第一端部キャップ１６の弧状壁、第二端部キャップ１８の弧状壁及び前記第一スリーブ１１の第一弧状部１１１は同一面上に位置し、前記空洞部１８１が前記固定部品１４の固定リング１４３の外周に係合される。次いで、１つのナット１８３を前記第二端部キャップ１８の空洞部１８１及び前記固定部品１４の中空部１４１に順次貫通させてから、前記ナット１８３を前記回動軸１５の内面のねじ山に螺着する。続いて、前記位置決め部品１９を第一空洞部１６１に貫通させる。このとき、前記第二柱体１９５は前記回動軸１５内に嵌入され、前記第一柱体１９３が前記収容空洞部１７２内に係合され、前記環状突起１９９が４つの前記突片１７７の弧状凹溝１７８内に嵌合される。さらに、前記サイドカバー５０を前記第一スリーブ１１の第二弧状部１１５に被覆する。これで、前記捲りアセンブリ１０の組立が完成する。
【００１９】
上記のステップ２において、前記キーシート３０の一端を前記第二スリーブ１２のスロット１２１に挟持させ、前記キーシート３０を第二スリーブ１２の外面に巻きつけてから、前記回動軸１５の前記係止用スリット１５１が設けられている一端を前記第二スリーブ１２に貫通させる。前記キーシート３０の他端を前記第一スリーブ１１の第一弧状部１１１と第二弧状部１１５との間に形成されたスリットから引き出して、接着などの方法により前記キーシート３０の他端を前記サイドカバー５０に固定させる。他の実施形態において、プラスチック層で前記キーシート３０の他端を包覆して、このプラスチック層を熱溶融することにより、前記キーシート３０の他端を前記サイドカバー５０に固定してもよい。
【００２０】
図８に示したように、前記キーシート３０は、タッチ機能層３１及びベース層３３を備える。前記タッチ機能層３１は、透明なフレキシブルタッチパネルであり、前記ベース層３３の上面を被覆する。前記ベース層３３は、ゴム及び樹脂などの材料からなるフレキシブル基板であり、その上面には複数のキーアイコンが設けられている。前記キーアイコンは、電界発光効果を有する透明材料を用いて、ペンキの吹付け或いは印刷によって形成される。前記キーアイコンの配列及び表示内容を実際の要求に応じて英字アルファベット、漢字、数字或いは平仮名などに変更することができる。また、前記キーアイコンは、有色材料を印刷する或いはペンキを吹き付けることによって形成されることも可能である。
【００２１】
また、前記ベース層３３は、フレキシブル表示パネルであることが好ましく、この場合、キーアイコンが前記ベース層３３を介して表示される。このフレキシブル表示パネルとしては、有機発光表示装置（ｏｒｇａｎｉｃ  ｌｉｇｈｔ  ｅｍｉｔｔｉｎｇ  ｄｉｏｄｅ  ｄｉｓｐｌａｙ，ＯＬＥＤ）、透明有機発光表示装置（ｔｒａｎｓｐａｒｅｎｔ  ｏｒｇａｎｉｃ  ｌｉｇｈｔ  ｅｍｉｔｔｉｎｇ  ｄｉｏｄｅ  ｄｉｓｐｌａｙ，ＴＯＬＥＤ）或いはポリマー発光表示装置（ｐｏｌｙｍｅｒ  ｌｉｇｈｔ  ｅｍｉｔｔｉｎｇ  ｄｉｏｄｅ  ｄｉｓｐｌａｙ，ＰＬＥＤ）などが挙げられる。
【００２２】
以下、前記キーシート３０を引き出したり、収納したりする過程を説明する。
【００２３】
前記キーシート３０を引き出す場合、前記サイドカバー５０を前記第一スリーブ１１から取り外して第一スリーブ１１から離れるように引っ張ると、前記キーシート３０は前記サイドカバー５０に連動されて前記捲りアセンブリ１０から徐々に引き出されるとともに、前記第二スリーブ１２及び前記回動部品１７は前記キーシート３０に誘導されて回動する。前記コイルバネ１３の一端の係止柱１３１が前記回動軸１５に固定され、前記コイルバネ１３の前記回動部品１７の外周に掛止された他端は、前記回動部品１７の回動によって捩れて弾性力を蓄積する。最初は、前記回動部品１７の回動速度が速いため、前記ボール１７０は遠心力により前記収容凹所１７６の第二弧状凹部１７６３内で固定されて動かない。前記キーシート３０のキーアイコンエリアが前記捲りアセンブリ１０から完全に露出された場合、前記収容凹所１７６の第一弧状凹部１７６１は、前記位置決め部品１９の凹所１９０にちょうど対面し、前記ボール１７０は、重力によって前記第一弧状凹部１７６１と前記凹所１９０とにより構成される収容空間内に入る。このとき、前記回動部品１７と前記位置決め部品１９との組み合わせによって、前記キーシート３０が位置決めされて前記第二スリーブ１２内に戻ることができなくなり、ユーザーが前記キーシート３０上でタッチ入力操作を行うことができる。
【００２４】
前記キーシート３０を使用しない場合、前記サイドカバー５０をさらに引っ張ると、前記回動部品１７が回動して、前記第二弧状凹部１７６３の側壁が前記ボール１７０に推進力を加え、前記ボール１７０は、前記移行面１９０３に沿って前記凹所１９０から滑り出して前記第二弧状凹部１７６３内に入る。このとき、ユーザーが前記サイドカバー５０を放すと、前記キーシート３０は、前記コイルバネ１３の弾性復帰力によって前記捲りアセンブリ１０内に自動的に収納される。
【００２５】
本発明のスクロール式タッチキーパッド１００は、体積が小さいので、便利に携帯することができる。
【００２６】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２７】
１０            捲りアセンブリ
１１            第一スリーブ
１２            第二スリーブ
１３            コイルバネ
１４            固定部品
１５            回動軸
１６            第一端部キャップ
１７            回動部品
１８            第二端部キャップ
１９            位置決め部品
３０            キーシート
３１            タッチ機能層
３３            ベース層
５０            サイドカバー
５１            台形切欠き
１００          スクロール式タッチキーパッド
１１１          第一弧状部
１１３          接続部
１１５          第二弧状部
１２１          スロット
１２３          ノッチ
１３１          係止柱
１４１          中空部
１４３          固定リング
１５１          係止用スリット
１５３          調節リング
１６１          第一空洞部
１７０          ボール
１７１          第一固定部
１７２          収容空洞部
１７３          第二固定部
１７４          ねじ山凹溝
１７５          貫通孔
１７６          収容凹所
１７７          突片
１７８          弧状凹溝
１７９          ブロック
１８１          第二空洞部
１８３          ナット
１９０          凹所
１９１          底板
１９３          第一柱体
１９５          第二柱体
１９７          フランジ
１９９          環状突起
１７６１        第一弧状凹部
１７６３        第二弧状凹部
１７６５        境界線
１９０３        移行面
【図１】
2012003754.tif 000003
【図２】
2012003754.tif 000004
【図３】
2012003754.tif 000005
【図４】
2012003754.tif 000006
【図５】
2012003754.tif 000007
【図６】
2012003754.tif 000008
【図７】
2012003754.tif 000009
【図８】
2012003754.tif 000010
【図９】
2012003754.tif 000011